(57)【要約】      （修正有）【課題】楽曲項目を携帯機器から読み出すか否かを楽曲項目の更新状態に応じて制御し、ユーザに対して楽曲項目を速やかに提供する。【解決手段】記憶領域に記憶されている先の更新状態Ｕｐｒと記憶領域に記憶されている現更新状態Ｕｎｗとが比較されるＳ２。先の更新状態Ｕｐｒと現更新状態Ｕｎｗとが一致していれば、ＨＤＤに記憶された（先の時点で携帯機器に記憶されていた）楽曲項目がＲＡＭの記憶領域に読み出されるＳ３。他方、ステップＳ２で先の更新状態Ｕｐｒと現更新状態Ｕｎｗとが一致しなければ、携帯機器に記憶されている楽曲項目がＲＡＭの記憶領域に読み出されるＳ５。【選択図】図４
2008010021.tif 000002
【特許請求の範囲】
【請求項１】
携帯機器に対して一の速度で接続し、記憶媒体に対して前記一の速度よりも速い他の速度で接続する情報処理装置であって、
前記携帯機器に現時点で記憶されている楽曲項目に係る現更新状態と現時点よりも先の時点で前記携帯機器から前記記憶媒体に記憶された楽曲項目に係る先の更新状態とが一致すれば、前記記憶媒体に記憶された楽曲項目を読み出し、他方、前記現更新状態と前記先の更新状態とが一致しなければ、前記携帯機器に記憶された楽曲項目を読み出す処理部を備える情報処理装置。
【請求項２】
前記処理部は、前記現更新状態と前記先の更新状態とが一致しなければ、前記携帯機器から読み出された楽曲項目を前記記憶媒体に記憶させることを特徴とする請求項１に記載の情報処理装置。
【請求項３】
前記処理部は、前記現更新状態及び前記先の更新状態として、更新日時、楽曲項目の容量、楽曲項目の数、前記携帯機器における記憶容量の残量及びこれらの組み合わせを用いることを特徴とする請求項１又は請求項２に記載の情報処理装置。
【発明の詳細な説明】
【技術分野】
【０００１】
本発明は、携帯機器との連携が可能な情報処理装置に関するものであって、より詳しくは、車載ＡＶ端末等に関するものである。
【背景技術】
【０００２】
背景技術として、Ｄ−ｓｎａｐ（登録商標）やｉ−ｐｏｄ（登録商標）等の携帯機器との連携が可能な車載ＡＶ端末が知られている（例えば、非特許文献１を参照）。この車載ＡＶ端末では、楽曲名等が表示される。
【非特許文献１】「Ｓｔｒａｄａ［ストラーダ］Ｆクラス、ＨＤＤカーナビステーション  ＣＮ−ＨＤ９６０ＴＤ／ＣＮ−ＨＤ９４０ＴＤ／ＣＮ−ＨＤ９１０ＴＤ」、松下電器産業株式会社［http://panasonic.jp/car/navi/products/HDS960TD/audio.html］、平成１８年５月１６日検索」
【発明の開示】
【発明が解決しようとする課題】
【０００３】
近年、携帯機器は、大容量記憶装置（例えば、ＨＤＤ）を内蔵しているので、携帯機器に記憶される楽曲の数は、数万曲に及んでいる。つまり、楽曲名等の数も、楽曲の数と略同数に及んでいる。
【０００４】
背景技術によれば、携帯機器に記憶された楽曲が車載ＡＶ端末によって利用される場合、楽曲名等は、携帯機器から車載ＡＶ端末に読み出される。前述のとおり、楽曲名等の数が数万曲分に相当すれば、読み出しに要する通信時間は、膨大である。つまり、ユーザに対して煩わしさや待たされ感等を与えてしまうという課題があった。
【課題を解決するための手段】
【０００５】
本発明に係る情報処理装置は、携帯機器に対して一の速度で接続し、記憶媒体に対して前記一の速度よりも速い他の速度で接続する情報処理装置であって、前記携帯機器に現時点で記憶されている楽曲項目に係る現更新状態と現時点よりも先の時点で前記携帯機器から前記記憶媒体に記憶された楽曲項目に係る先の更新状態とが一致すれば、前記記憶媒体に記憶された楽曲項目を読み出し、他方、前記現更新状態と前記先の更新状態とが一致しなければ、前記携帯機器に記憶された楽曲項目を読み出す処理部を備えるものである。本発明における字句の解釈は、次のとおりである。
【０００６】
「携帯機器」とは、楽曲、楽曲項目及び更新状態を少なくとも記憶する機器である。「楽曲項目」とは、楽曲に関連付けられた項目であって、楽曲名、演奏時間や実演者名等をいう。「更新状態」とは、携帯機器から読み出し可能な情報であって更新の有無を識別可能なものであればよい。「更新状態」の一例として、更新日時（データ追加日時）、楽曲項目の容量、楽曲項目の数、携帯機器における記憶容量の残量及びこれらの組み合わせがある
「記憶媒体」とは、携帯機器への接続速度よりも速い接続速度で接続可能な媒体であって、電源が切れた後にも記憶内容を残す媒体である。
【０００７】
「接続する」とは、有線による接続であるか無線による接続であるかを問わない。
【０００８】
「現時点」とは、携帯機器と情報処理装置とが接続されている時点である。つまり、「現更新状態」とは、携帯機器と情報処理装置とが接続されている時点における更新状態である。
【０００９】
「現時点よりも先の時点」とは、携帯機器と情報処理装置とが過去に接続された時点である。つまり、「先の更新状態」とは、携帯機器と情報処理装置とが過去に接続された時点における更新状態である。
【００１０】
「処理部」とは、ハードウエアによって具体的な処理を実行する部位又はソフトウエアによる処理をハードウエア資源を用いて具体的に実現する部位である。
【００１１】
「処理部」は、好ましくは、前記現更新状態と前記先の更新状態とが一致しなければ、前記携帯機器から読み出された楽曲項目を前記記憶媒体に記憶させるものである。「記憶させる」とは、既に記憶されている楽曲項目を削除して新たな楽曲項目を記憶させること及び既に記憶されている楽曲項目に新たな楽曲項目を上書きすることを含む概念である。
【発明の効果】
【００１２】
本発明は、楽曲項目を携帯機器から読み出すか否かを楽曲項目の更新状態に応じて制御するので、ユーザに対して楽曲項目を速やかに提供できる機会が増加するという効果を有する。
【発明を実施するための最良の形態】
【００１３】
本発明に係る情報処理装置を実施するための最良の形態は、図１ないし図４で示される。
【００１４】
＜全体構成について＞本実施の形態に係る楽曲処理システムの構成は、図１で示される。楽曲処理システム１は、情報処理装置２と、携帯機器３と、スピーカ４と、表示装置５とを備える。情報処理装置２は、ケーブル６を介して携帯機器３に接続されている。また、情報処理装置２は、スピーカ及び表示装置５に接続されている。
【００１５】
携帯機器３には、各携帯機器３を識別するための固有番号、更新状態、楽曲項目及び楽曲が記憶される。本実施の形態では、更新状態として、更新日時が用いられる。楽曲項目として、楽曲名（図１では、「エリー」等）、演奏時間（図１では、「４：００」等）や実演者名（図１では、「サザン」）などが用いられる。
【００１６】
情報処理装置２には、現時点よりも先の時点で携帯機器３に記憶されていた固有番号、先の更新状態及び楽曲項目が記憶されている。
【００１７】
情報処理装置２又は携帯機器３に記憶される楽曲項目は、表示装置５が有する表示画面で表示される。
【００１８】
＜情報処理装置の構成について＞本実施の形態に係る情報処理装置２の構成は、図２で示される。情報処理装置２は、Ｉ／Ｏ１１、通信Ｉ／Ｆ１２、ＨＤＤ１３（「記憶媒体」に相当する）、ＲＯＭ１４、ＣＰＵ１５（「処理部」に相当する）、ＲＡＭ１６（「処理部」に相当する）、描画ＩＣ１７、ＶＲＡＭ１８及び音声ＩＣ１９を備える。これらの各デバイスは、システムバスで接続されている。
【００１９】
Ｉ／Ｏ１１には、スピーカ４、表示装置５及び操作装置２０が接続されている。
【００２０】
通信Ｉ／Ｆ１２には、携帯機器３がケーブル６を介して接続される。
【００２１】
ＨＤＤ１３には、楽曲再生用のプログラム、楽曲項目を表示するためのプログラムの他に、楽曲項目を読み出すための読出プログラムが記憶されている。また、ＨＤＤ１３には、現時点よりも先の時点で携帯機器３に記憶されていた固有番号、先の更新状態及び楽曲項目が記憶されている。
【００２２】
ＲＯＭ１４には、起動時や緊急時などに必要な基本制御プログラムが記憶されている。
【００２３】
ＲＡＭ１６には、ＨＤＤ１３に記憶された固有番号及び先の更新状態がそれぞれ展開される記憶領域１６ａ及び記憶領域１６ｂが設けられている（図３を参照）。また、ＲＡＭ１６には、携帯機器３に現時点で記憶されている固有番号及び現更新状態がそれぞれ展開される記憶領域１６ｃ及び記憶領域１６ｄが設けられている（図３を参照）。さらに、ＲＡＭ１６には、ＨＤＤ１３又は携帯機器３に記憶された楽曲項目を記憶する記憶領域１６ｅが設けられている（図３を参照）。
【００２４】
＜読出処理について＞本実施の形態に係る読出処理は、図４で示される。この処理の前提として、情報処理装置２が起動した時点（車載用品については、アクセサリがオンになった時点）で、ＨＤＤ１３に記憶された固有番号及び先の更新状態は、ＲＡＭ１６の記憶領域１６ａ及び記憶領域１６ｂに展開される。また、情報処理装置２と携帯機器３とが接続した時点で、携帯機器３に現時点で記憶されている固有番号及び現更新状態は、それぞれＲＡＭ１６の記憶領域１６ｃ及び記憶領域１６ｄに記憶される。そして、ＣＰＵ１５は、ＨＤＤ１３に記憶された読出プログラムをＲＡＭ１６に展開し、次の処理を実行する。
【００２５】
記憶領域１６ａに記憶されている固有番号と記憶領域１６ｃに記憶されている固有番号とが比較される（ステップＳ１）。すなわち、接続されている携帯機器３に記憶されている固有番号が情報処理装置２にあるか否かが判定される。
【００２６】
ステップＳ１で固有番号があれば（Ｓ１のＹｅｓ）、記憶領域１６ｂに記憶されている先の更新状態Ｕｐｒと記憶領域１６ｄに記憶されている現更新状態Ｕｎｗとが比較される（ステップＳ２）。
【００２７】
ステップＳ２で先の更新状態Ｕｐｒと現更新状態Ｕｎｗとが一致していれば（Ｓ２の「＝」）、ＨＤＤ１３に記憶された（先の時点で携帯機器３に記憶されていた）楽曲項目がＲＡＭ１６の記憶領域１６ｅに読み出される（ステップＳ３）。
【００２８】
他方、ステップＳ２で先の更新状態Ｕｐｒと現更新状態Ｕｎｗとが一致しなければ（Ｓ２の「≠」）、ＨＤＤ１３に記憶された楽曲項目が削除される（ステップＳ４）。
【００２９】
ステップＳ４で楽曲項目及び更新状態が削除され、又はステップＳ１で固有番号がなければ（Ｓ１のＮｏ）、携帯機器３に記憶されている楽曲項目がＲＡＭ１６の記憶領域１６ｅに読み出される（ステップＳ５）。
【００３０】
なお、ステップＳ４で楽曲項目が削除された場合、携帯機器３に記憶されている楽曲項目がＲＡＭ１６の記憶領域１６ｅに読み出された後、当該楽曲項目及び更新状態は、それぞれ、削除された楽曲項目及び更新状態が記憶されていたＨＤＤ１３の記憶領域に記憶される（つまり、楽曲項目及び更新状態が更新される）。
【００３１】
また、読み出された楽曲項目は、表示装置５に表示される。具体的には、描画ＩＣ１７が、ＣＰＵ１５による命令を受けて、読み出された楽曲項目をＶＲＡＭ１８に展開し、ＶＲＡＭ１８に展開された楽曲項目を表示装置５に順次出力する。
【００３２】
＜本実施の形態における効果＞本実施の形態によれば、ユーザに対して楽曲項目を速やかに提供できる機会が増加することができる。
【００３３】
＜変形例＞本実施の形態では、ステップＳ４でＨＤＤ１３に記憶された楽曲項目が削除されているが、このステップは省略されてもよい。つまり、携帯機器２から読みされた楽曲項目は、楽曲項目が既に記憶されているＨＤＤ１３の領域に上書きされてもよい。
【産業上の利用可能性】
【００３４】
本発明は、ユーザに対して楽曲項目を速やかに提供できる機会が増加するという効果を有し、車載ＡＶ端末等に有用である。
【図面の簡単な説明】
【００３５】
【図１】本発明に係る情報処理装置を実施するための最良の形態である楽曲処理システムの全体構成を示す図
【図２】本実施の形態に係る情報処理装置の構成を示すハードウエア構成図
【図３】本実施の形態に係るＲＡＭの記憶領域を示す図
【図４】本実施の形態における読出処理の流れを示すフロー図
【符号の説明】
【００３６】
２    情報処理装置
３    携帯機器
１３    ＨＤＤ（「記憶媒体」）
【図１】
2008010021.tif 000003
【図２】
2008010021.tif 000004
【図３】
2008010021.tif 000005
【図４】
2008010021.tif 000006